(57)【要約】【課題】、開閉体が開状態に切り換えられた場合でも図６の隙間ｘ1を極力小さく抑えて見栄えを向上する。【解決手段】本体９に対し開閉体８を閉状態に係止する場合に用いられ、ケース２にそれぞれ摺動可能に配置されているボタン３及びラッチ部材４を少なくとも有し、ボタン３を押してケース内に退避させることにより、ラッチ部材４が開閉体８を係止している係止位置から該開閉体に対する係止を解除する非係止位置へ切り換えられるロック装置において、ボタン３をケース外に突出した初期位置から付勢力に抗した押し操作によりケース内に退避した押し下げ状態に保持し、かつ、開閉体８を開から閉状態に切り換えるのに連動して前記保持を解除してボタン３を初期位置に復帰可能にする保持手段５を備えている。【選択図】図１
2008115626.tif 000002
【特許請求の範囲】
【請求項１】
本体に対し開閉体を閉状態に係止する場合に用いられ、ケースにそれぞれ摺動可能に配置されているボタン及びラッチ部材を少なくとも有し、前記ボタンを押して前記ケース内に退避させることにより、前記ラッチ部材が前記開閉体を係止している係止位置から該開閉体に対する係止を解除する非係止位置へ切り換えられるロック装置において、
前記ボタンを前記ケース外に突出した初期位置から付勢力に抗した押し操作により前記ケース内に退避した押し下げ状態に保持し、かつ、前記開閉体を開から閉状態に切り換えるのに連動して前記保持を解除して前記ボタンを初期位置に復帰可能にする保持手段を備えていることを特徴とするロック装置。
【請求項２】
前記保持手段は、前記ボタンの摺動方向と略交差する方向に配置されている保持部材と、前記保持部材を前記ケース外に突出する方向へ付勢する付勢部材とを有していることを特徴とする請求項１に記載のロック装置。
【請求項３】
前記保持部材が前記開閉体を開から閉状態に切り換える過程で該開閉体の対応部と当接して、前記付勢部材の付勢力に抗して後退されて前記ボタンに対する保持を解除するとともに、前記ボタンが前記押し下げ状態から付勢部材の付勢力により初期位置に復帰されることを特徴とする請求項２に記載のロック装置。
【請求項４】
前記ケースに一端を枢支し、他端を前記ボタンに摺動可能に連結した状態で前記ボタンとの間に介在されている伝達部材を有し、前記伝達部材が押し力により回動を伴って前記ボタンを押し下げることを特徴とする請求項１から３の何れかに記載のロック装置。
【発明の詳細な説明】
【技術分野】
【０００１】
本発明は、本体に対し開閉体を閉状態に係止するロック装置に関し、特にボタンに対する押し操作により係止解除するロック装置に関する。
【背景技術】
【０００２】
図７は特許文献１に開示のロック装置を示している。このロック装置１は、ケース（ハウジング）２にそれぞれ摺動可能に配置されているボタン３及びラッチ部材４と、ボタン３及びラッチ部材４をそれぞれケース２より突出する方向へ付勢する付勢部材５，６とを備えている。ここで、ケース２は、矩形枠部１１及び枠部背面側の筒部１２を有している。ボタン３は、操作部３０と、操作部３０に突設された枠状部３１と、枠状部３１の下面に突設された軸部３２と、枠状部３１の両側内面に設けられている不図示のカム凸部とを有している。ラッチ部材４は、基部から前側に突設されている係合部４０と、基部から後方に突設されている軸部４３と、不図示のカム凹部とを有している。
【０００３】
以上の構造では、例えば、開閉体８を収納本体７に対し閉状態に係止する場合に用いられ、ボタン３を付勢部材５の付勢力に抗し押してケース内に退避させることにより、ラッチ部材４がケース外に突出して開閉体８を係止している同図（ａ）の係止位置からケース内に退避して開閉体８に対する係止を解除する同図（ｂ）の非係止位置へ切り換えられる。すると、開閉体８は、収納本体７の開口部を閉じていた閉状態から付勢力Ｓにより回動されて前記開口部を開放する開状態に切り換えられる。ボタン３は、押し力が解放されると、付勢部材５の付勢力によりケース２外に突出されて再び同図（ａ）の初期位置に復帰される。なお、この構造では、前記したカム凸部及びカム凹部がボタン３とラッチ部材４とを作動連結するカム機構を形成しており、ボタン３の押し力を効率よくラッチ部材４に伝達してラッチ部材の切換特性が良好に維持されるようにしている。
【特許文献１】特開２００４−４４１１４号公報
【発明の開示】
【発明が解決しようとする課題】
【０００４】
上記したロック装置１は、通常、収納本体７の開口部付近に配設されており、ラッチ部材４が先端係合部４０を開閉体８の対応する先端側に設けられた段部８ａに係脱する。そして、この構造では、操作部３０と係合部４０との隙間、又はケース２のうち、操作部３０の下側で係合部４０が突出されている側の隙間が開閉体８の閉状態だと該開閉体の厚さで見え難くなるが、開閉体８が開状態になっていると収納本体７の開口部側に露出されて見栄えが悪くなる。これは、ボタン３が押し操作されていないと付勢力によりケース２の上方へ突出した初期位置にあるためである。
【０００５】
そこで、本発明の目的は、以上のような問題を解消して、開閉体が開状態に切り換えられた場合でも上記した隙間を極力小さく抑えて見栄えを向上することにある。
【課題を解決するための手段】
【０００６】
上記した目的を達成するため本発明は、本体に対し開閉体を閉状態に係止する場合に用いられ、ケースにそれぞれ摺動可能に配置されているボタン及びラッチ部材を少なくとも有し、前記ボタンを押して前記ケース内に退避させることにより、前記ラッチ部材が前記開閉体を係止している係止位置から該開閉体に対する係止を解除する非係止位置へ切り換えられるロック装置において、前記ボタンを前記ケース外に突出した初期位置から付勢力に抗した押し操作により前記ケース内に退避した押し下げ状態に保持し、かつ、前記開閉体を開から閉状態に切り換えるのに連動して前記保持を解除して前記ボタンを初期位置に復帰可能にする保持手段を備えていることを特徴としている。なお、以上の本体は各種コンソールや機器類のパネル等を含む。また、開閉体はリッド、蓋、扉、カバー、更にはリッド兼用アームレスト等も含む。
【０００７】
以上の本発明は、請求項２〜４のように具体化されることが好ましい。すなわち、
（ア）前記保持手段は、前記ボタンの摺動方向と略交差する方向に配置されている保持部材と、前記保持部材を前記ケース外に突出する方向へ付勢する付勢部材とを有している構成である（請求項２）。
（イ）前記保持部材が前記開閉体を開から閉状態に切り換える過程で該開閉体の対応部と当接して、前記付勢部材の付勢力に抗して後退されて前記ボタンに対する保持を解除するとともに、前記ボタンが前記押し下げ状態にから付勢部材の付勢力により初期位置に復帰される構成である（請求項３）。
（ウ）前記ケースに一端を枢支し、他端を前記ボタンに摺動可能に連結した状態で前記ボタンとの間に介在されている伝達部材を有し、前記伝達部材が押し力により回動を伴って前記ボタンを押し下げる構成である（請求項４）。
【発明の効果】
【０００８】
請求項１の発明では、例えば、開閉体に対する係止を解除するため、ボタンが押し操作によりケース内に退避されると、保持手段によりその退避後の押し下げ状態に保持される。すなわち、この構造では、ラッチ部材がボタンの押し操作により開閉体に対する係止を解除し、かつ開閉体が開状態に切り換えられても、ボタンがケース外に突出した初期位置に復帰されず押し下げ状態に保持されているため、ボタン用操作部とラッチ部材側係合部との隙間、又はケースのうちボタン用操作部の下側で係合部が突出される側の隙間が小さく抑えられ、その分だけ隙間内が見え難くなって見栄えを良好に維持できる。
【０００９】
請求項２の発明では、保持手段が保持部材及び付勢部材からなるため簡易に実施できる。これに対し、請求項３の発明では、保持部材のボタンに対する保持が開閉体の開から閉状態への切り換えにより解除されるとともに、ボタンが付勢力により初期位置に復帰されるため、保持手段が追加されることによる特別な操作を必要とせず、使い勝手を維持できる。また、請求項４の発明では、伝達部材がケースに一端を枢支し他端をボタンに摺動可能に連結しているため、例えば、ラッチ部材による係止を解除するとき、操作部に対して斜めから押圧しても伝達部材を介してボタンを効率よく押下できる。
【発明を実施するための最良の形態】
【００１０】
以下、本発明の形態を図１〜図６を参照しながら説明する。図１と図２はロック装置の上面、側面、正面を示し、図３は分解状態で主な部材を示し、図４はケース及びボタン並びにラッチ部材の関係を示し、図５と図６は図２のＡ−Ａ線断面図に対応したロック装置の作動を示している。以下の説明では、概要、構造、作動の順に詳述する。
【００１１】
（概要）形態例のロック装置１は、ケース２に対してそれぞれ摺動可能に配置されているボタン３及びラッチ部材４と、ボタン３及びラッチ部材４をそれぞれケース２より突出する方向へ付勢する付勢部材１１，１２とを有し、ボタン３を付勢部材１１の付勢に抗し押してケース２内に退避（ケース内に入る部分を増やすよう退行させる意味である。以下、同じ）させることにより、ラッチ部材４が付勢部材１２の付勢に抗して開閉体８を係止している係止位置からケース２内に退避して開閉体８に対する係止を解除する非係止位置へ切り換えられるタイプである。工夫点は、特に、ボタン３をケース２外に突出した初期位置から付勢力に抗した押し操作によりケース内に退避した押し下げ状態に保持し、かつ、開閉体８を開から閉状態に切り換えるのに連動して前記保持を解除してボタン３を初期位置に復帰可能にする保持手段を備えているとともに、該保持手段が保持部材５及び付勢部材１３により構成されていることにある。
【００１２】
ここで、主な構成部材は、ケース２と、ボタン３と、ラッチ部材４と、保持部材５と、伝達部材６と、カバー７と、付勢部材１１〜１３とからなる。材質は、ケース２、ボタン３、ラッチ部材４、保持部材５、伝達部材６、カバー７が共に樹脂成形品であり、付勢部材１１〜１３が金属製である。但し、材質的にはこれに限られない。用途は、収納本体９又は機器本体の上側開口部を開閉する蓋や扉等の開閉体８に好適である。図５の開閉体８は、収納本体９の開口部を開閉するリッド兼用のアームレストを想定しており、付勢力Ｓ（図５を参照）により開方向へ付勢され、該付勢力に抗して閉状態に回動されてロック装置１により閉状態に係止される。
【００１３】
（構造）ケース２は、図１〜図４に示されるように、上側から挿入されるボタン３と、前側から挿入されるラッチ部材４とを略交差した状態に配置するともに、保持部材５をラッチ部材４と同方向に摺動可能に配置する。このため、ケース２には、ボタン３を上開口から受け入れる空間部２０及び該空間部２０の内底面を上下に貫通している筒部２１と、空間部２０を区画している両側壁の外面にあって上下中間より下側に突出している取付用板部２２、及び板部２２の上側で前後方向に延びているガイド溝部２３と、空間部２０を区画している両側壁を貫通して前後方向に延びている嵌合孔２４とが設けられている。
【００１４】
ここで、空間部２０はボタン３に対応した大きさの略矩形立体からなる。筒部２１は、空間部２０の内底面に設けられた円筒状溝２０ａにより区画されている。各板部２２は、取付孔２２ａを有し、該取付孔２２ａから挿入される止め具により収納本体９の対応部に固着される。各ガイド溝部２３は、上下の突起部２９ａ，２９ｂの間に設けられており、後述する保持部材５の対応するレール部４６を摺動可能に嵌合する。各嵌合孔２４は対向しており、後述するピン３５の対応端部を摺動可能に嵌合する。
【００１５】
また、ケース２には、両側壁の上端にあって後壁側の凹部２５と、前後壁の上側にあって前後方向に貫通している連通孔２６と、後壁の上側から後方へ突出している壁部２７と、後壁及び壁部２７から斜め上向きに突出している対の支持部２８，２８とが設けられている。各凹部２５はボタン３の押し下げを規制する。前後の連通孔２６は、ラッチ部材４を摺動可能に挿通した状態に支持する。壁部２７の上面には、後方側の中間部に突出された係止片部２７ａと、後方側の両側角部に突出された係止片部２７ｂ，２７ｂとが設けられている。各支持部２８は対向している係合孔２８ａを有している。
【００１６】
ボタン３は、図３〜図５に示されるように、空間部２０に配置される枠状部３０と、枠状部３０の下面に突出している軸部３１と、枠状部３０の後側に付設されている規制片部３２と、枠状部３０の対向している両側壁部にそれぞれ貫通されているカム孔３３及びカム孔３３より上側の横溝３４とを有している。
【００１７】
ここで、枠状部３０は、前後方向に開口されているとともに、前側が上から略中間部まで欠肉され、後側が上から両側の規制片部３２まで欠肉されている。このため、枠状部３０は、下部が上部に比べて前後に張り出しており（この形状は図３中、符号３０ａの段差を形成している）、前記空間部２１に対しその下部が摺動可能に嵌合される。軸部３１は筒部２１に挿通可能になっている。規制片部３２は、枠状部３０の両側へ突出されている。カム孔３３は、後上側から前下側へ向かう傾斜孔３３ａと、傾斜孔３３ａの下端より後方へ向けて水平に延びている水平孔３３ｂとからなる。
【００１８】
以上のボタン３は、例えば、軸部３１の周囲に付勢部材１１であるコイルばねの上側を配置した態様から、軸部３１の下端を筒部２１内に挿入すると、付勢部材１１の下側が円筒状溝２０ａに配された状態となって、該付勢部材１１により上方へ付勢移動されて枠状部３０の上側が空間部２０から上へ大きく突出される。
【００１９】
ラッチ部材４は、図３及び図５に示されるように、細長いアーム形状であり、先端に設けられて上から下に行くほど前方へ突出するよう設けられた傾斜面４０と、前後略中間部に設けられて板幅方向に貫通された挿通孔４１と、後端側に設けられて付勢部材１２であるコイルばねの一端を挿入して係止する窪み部４２（図５を参照）とを有している。長さは、ケース２の前後壁に設けられた各連通孔２６に嵌合された状態で、ケース前方へ突出する係合位置とケース内に退避される非係合位置とに切換可能な寸法である。
【００２０】
以上のラッチ部材４は、例えば、ボタン３が上記したようにケース２に組み込まれた状態から、後端側をケース前壁の挿通孔２６、ボタン３０の開口、ケース後側の挿通孔２６に挿通した後、窪み部４２に付勢部材１２の一端を挿入係止した後、付勢部材１２の他端を係止片部２７ａに係止する。そして、この状態から、ボタン３及びラッチ部材４はケース２の嵌合孔２４に嵌合されるピン３５を介して作動連結される。すなわち、ピン３５は、例えば、ボタン３及びラッチ部材４が上記したようにケース２に組み込まれた状態から、一端側がケース側壁の一方嵌合孔２４、ボタン側の一方カム孔３３、ラッチ部材の挿通孔４１、ボタン側の他方カム孔３３、ケース側壁の他方嵌合孔２４に挿通される。すると、ボタン３及びラッチ部材４は図５（ａ）のごとくピン３５を介し作動連結され、例えば、ボタン３が下向きに押圧されると、カム孔３３の傾斜孔３３ａに沿ってピン３５をケース側嵌合孔２４の前から後方へ逃がし、かつ、ラッチ部材４がそのピン３５の摺動により係止位置から非係止位置に切り換えられることになる。
【００２１】
保持部材５は、図３〜図５に示されるように、ケース２を内側に配置した状態でケース２に対し前後に摺動可能な形状をなし、略Ｕ形の下枠部４５と、下枠部４５を構成している両片部の内側に設けられているレール部４６と、下枠部４５を構成している両片部の前側にそれぞれ立設されている掛止部４７と、下枠部４５を構成している両片部の後側に立設されている上枠部４８と、上枠部４８の両側部の後面から後方へ向けて突設されている支持軸４９とを有している。このうち、各レール部４６は下枠部４５の両片部に対向している。掛止部４７は、前端面４７ａが後方へ行くほど上向きとなる傾斜面として形成されているとともに、レール部４６がガイド溝部２３と嵌合した状態でガイド溝部２３を区画している上突出部２９ａに摺動可能に引っ掛けられる。上枠部４８は、両側の縦片同士を連結している当接部４８ａを有している。
【００２２】
以上の保持部材５は、各レール部４６が対応するガイド溝部２３に嵌合されることにより、ケース２に対しガイド溝部２３に沿って前後に摺動可能に組み込まれる。この場合、掛止部４７は上側の突出部２９ａに引っ掛けられることで良好な摺動特性を維持する。また、保持部材５は、両側の支持軸４９に付勢部材１３であるコイルばねをその一端側を支持した状態で、当接部４８ａが壁部２７上に配置されかつ付勢部材１３の他端が係止片部２７ｂに係止されると、当接部４８ａがボタン側枠状部３０の対応部に当たるまで付勢部材１３の付勢により前方へ摺動される。逆に、保持部材５は、付勢部材１３の付勢力に抗して後方へ押されると、下枠部４５の両側を連結している当接部４５ａがケース２の前壁に当たるまで後方へ摺動される。
【００２３】
伝達部材６は、前側に枠状部３０を逃げるコ形切欠部６ａを設け、後側に一対の支持部２８を逃げるコ形切欠部６ｂを形成している略矩形板状からなり、切欠部６ａを区画している両片部の前側に貫通されている係合孔６ｃと、切欠部６ｂを区画している両片部の後側に貫通されている係合孔６ｄとを有している。また、カバー７は、外観見栄えを良好にする部材である。このカバー７は、図１及び図２から推察されるように、伝達部材６に適宜な方法で取り付けられた状態で、上から見たときにケース２、ボタン３、保持部材５などが極力見えなくなるよう覆う部材である。
【００２４】
以上の伝達部材６は、例えば、切欠部６ａの内側に枠状部３０の上部を配置し、かつ各係合孔６ｃを枠状部３０の対応する横溝３４に位置決めした後、ピン３６が一方係合孔６ｃ、一方横軸３４、他方横軸３４、他方係合孔６ｃに挿通されることで、前側が枠状部３０の横溝３４に摺動可能に連結される。また、伝達部材６は、切欠部６ｂの内側に左右の支持部２８を配置し、かつ各係合孔６ｄを支持部２８の対応する係合孔２８ａに位置決めした後、ピン３７が一方係合孔６ｄ、一方係合孔２８ａ、他方係合孔２８ａ、他方係合孔６ｄに挿通されることで、後側がケース側支持部２８に回動可能に枢支される。そして、この構造では、伝達部材６が直接又はカバー７を介して押されると、ピン３６側が横溝３４を動きながら、ピン３７側を支点として回動を伴ってボタン３を押し下げる。これは、斜め方向の押圧力を伝達部材６を介してボタン３に対する下向きの応力として効率よく伝える構成である。
【００２５】
（作動）以上のロック装置１の主な作動を図５及び図６などを参照しつつ詳述する。なお、図５及び図６において、ロック装置１は、収納本体９の開口部付近に上記した板部２２及び取付孔２２ａなどを介して取り付けられる。開閉体８は、例えば、右側の端部が収納本体９の対応部に対し不図示のヒンジを介し連結されるとともに、付勢力Ｓで開方向へ付勢されているものとする。
【００２６】
図５（ａ）は開閉体８の閉状態を示し、ロック装置１のラッチ部材４が係止位置に配置されて開閉体８の対応部を係止している。この係止状態（ロック状態）において、ボタン３は、付勢部材１１により上昇されケース２より最も突出した初期位置にある。ラッチ部材４は、付勢部材１２の付勢力により前方へ突出された係止位置にある。保持部材５は、当接部４８ａが枠状部３０の対応部に当たって規制されるまで付勢部材１３の付勢により前方へ摺動されている。また、ピン３５は、ボタン３の上昇、及びラッチ部材４の前方移動によりボタン側カム孔３３を構成している傾斜孔３３ａの下側に移動している。なお、この構造では、ラッチ部材４の係止力は、付勢部材１１のばね圧に左右されず、専ら付勢部材１２のばね圧に依拠しているため、開閉体８に対する係止力を増大したり弱くしたいときはそれに応じたばね圧の付勢部材１２を使用すればよい。
【００２７】
図５（ｂ）は開閉体８を閉から開状態に切り換えるためカバー７を矢印方向に押し操作した状態を示している。この押し操作により、ボタン３は、伝達部材６を介して下向きに押圧されて、前記初期位置から付勢部材１１の付勢力に抗してケース内に退避した押し下げ状態に切り換えられる。ラッチ部材４は、ピン３５がボタン側カム孔３３のカム軌跡、つまり傾斜孔３３ａにより付勢部材１２の付勢力に抗して後方（ケース内に退避する方向）へ摺動されて非係止位置に切り換えられる。その結果、開閉体８は、図中に示したようにラッチ部材４から係止解除されて、閉状態から前記した付勢力Ｓにより開状態まで回動される。勿論、開閉体８は付勢力Ｓではなく手動で開状態に回動するにしてもよい。なお、この構造では、ボタン３が同図より更に押されると、ピン３５がカム孔３３の傾斜孔３３ａの孔上端に当たり、かつ、前記規制部３２が凹部２５に当たって規制される。
【００２８】
図６（ａ）は開閉体８の開状態であり、前記カバー７から手を離して押し力を解放した態様である。この構造において、カバー７に対する押し力を解放すると、ボタン３は、付勢部材１１の付勢力で再び上向きに押されて前記初期位置に復帰しようとするが、そのような移動は保持部材５により阻止されて押し下げ状態に保持される。すなわち、保持部材５は、図４に示される両側の付勢部材１３により前方へ付勢されているため、ボタン３が押し下げられて、枠状部３０の張出量を減じた上部、つまり上記した段差３０ａより上側に対向すると、当接部４８ａが図５（ｂ）から図６（ａ）のごとく枠状部３０の段差３０ａに当接するまで前方へ摺動される。換言すると、この構造では、カバー７に対する押し力を解放すると、ボタン３が付勢部材１１の付勢力で若干上昇されるが、保持部材５の当接部４８ａが段差３０ａに係合して、ボタン３の更なる上昇を阻止する。すなわち、この構造では、開閉体８の開状態において、ボタン３（及び伝達部材６並びにカバー７）が保持部材５により押し下げ状態に保持されるため、図６（ａ）に示されるカバー７の前側（ボタン用操作部）とケース２の前上端側（ラッチ部材側係合部）との隙間ｘ1が図５（ａ）の閉状態のときの隙間ｘよりかなり小さく抑えられ、その分だけ外部から見え難くなって見栄えを良好に維持できる。
【００２９】
次に、図６（ａ）に示す開閉体８の開状態から、開閉体８を付勢力Ｓに抗して再び閉方向へ回動する。すると、ラッチ部材４及び保持部材５は、開閉体８の先端側対応部がラッチ部材４の傾斜面４０及び保持部材５の傾斜面になっている前端面４７ａに当接して前から後方へ押圧して、図６（ｂ）に示されるようにラッチ部材４を付勢部材１２の付勢力に抗して、保持部材５を付勢部材１３の付勢力に抗してそれぞれケース内に退避する方向へ後退させるとともに、保持部材５の後退によりボタン３に対する前記保持も解放される。すなわち、この構造では、例えば、開閉体８が図６（ｂ）のごとく正規の閉位置より少し過剰に回動された後、付勢力Ｓにより正規の閉位置に切り換えられる間に、ボタン３は保持部材５による保持が解放されるため再び付勢部材１１の付勢により初期位置に復帰され、ラッチ部材４及び保持部材５はそれぞれ開閉体８の押圧から解放されるため再び各付勢部材１１，１２の付勢により前方へ突出されて、図５（ａ）の開閉体８の閉状態となる。
【００３０】
なお、本発明は、請求項で特定される要件を備えておればよく、細部は必要に応じて種々変更可能なものである。一例としては、カバー７又は／及び伝達部材６を省略して、ボタンの上部に操作部を形成することである。
【図面の簡単な説明】
【００３１】
【図１】発明形態のロック装置を上から見た図である。
【図２】（ａ）は上記ロック装置の側面図、（ｂ）は上記ロック装置の正面図である。
【図３】上記ロック装置の主な部材同士の関係を説明するための概略分解図である。
【図４】上記ロック装置のケースとラッチ部材とボタンの関係を示す模式図である。
【図５】（ａ）と（ｂ）は上記ロック装置の係止状態と係止解除に切り換えられるときの状態を示す模式断面図である。
【図６】（ａ）と（ｂ）は上記ロック装置の係止解除状態と再び係止状態に切り換えられるときの動きを示す模式断面図である。
【図７】（ａ）と（ｂ）は特許文献１のロック装置を示す説明図である。
【符号の説明】
【００３２】
１…ロック装置
２…ケース（２０は空間部、２１は筒部、２２は板部、２３はガイド溝）
３…ボタン（３０は枠状部、３１は軸部、３３はカム孔、３４は）
４…ラッチ部材（４０は先端の傾斜面、４１は挿通孔、４２は窪み部）
５…保持部材（４５は下枠部、４６はレール部、４８は上枠部）
６…伝達部材
７…カバー
８…開閉体
９…収納本体（本体）
１１〜１３…付勢部材
３５〜３７…ピン
４５ａと４８ａ…当接部
【図１】
2008115626.tif 000003
【図２】
2008115626.tif 000004
【図３】
2008115626.tif 000005
【図４】
2008115626.tif 000006
【図５】
2008115626.tif 000007
【図６】
2008115626.tif 000008
【図７】
2008115626.tif 000009